(57)【要約】【課題】接続作業時間の短縮化が図れる光ファイバ成端箱の提供。【解決手段】長手方向中央部が巻回されるとともにその一端に他の光ファイバＢが融着接続又はコネクタ接続される接続用光ファイバ部５と、接続用光ファイバ部５の長手方向中央部を封止する封止樹脂部６と、封止樹脂部６から延出する接続用光ファイバ部５の他端に設けられた光ファイバコネクタ７と、一端に光ファイバコネクタ７が装着されるとともに他端に他の光ファイバコネクタＦが装着される構成を備えかつ装着されるこれら光ファイバコネクタ７,Ｆどうしを光接続するアダプタ４と筐体２とを有している。アダプタ４は、その一端を筐体内側に向け、その他端を筐体外側に向けて筐体２に設けられている。光ファイバコネクタ７は筐体内側からアダプタ４の一端に装着可能となっている。【選択図】  図３
2004198709.tif 000002
【特許請求の範囲】
【請求項１】
長手方向中央部が巻回されるとともに、その一端に他の光ファイバが融着接続又はコネクタ接続される接続用光ファイバ部と、
前記接続用光ファイバ部の前記長手方向中央部を封止する封止樹脂部と、
前記接続用光ファイバ部の他端に設けられた光ファイバコネクタと、
一端に前記光ファイバコネクタが装着されるとともに他端に他の光ファイバコネクタが装着される構成を備えかつ装着されるこれら光ファイバコネクタどうしを光接続するアダプタと、
筐体と、
を有し、
前記アダプタは、その一端を筐体内側に向け、その他端を筐体外側に向けて前記筐体に設けられており、
前記光ファイバコネクタは筐体内側から前記アダプタの一端に装着可能となっている、
ことを特徴とする光ファイバ成端箱。
【請求項２】
請求項１に記載の光ファイバ成端箱において、
前記光ファイバコネクタは前記アダプタの一端に装着されており、
前記封止樹脂部は前記筐体に収納されている、
ことを特徴とする光ファイバ成端箱。
【請求項３】
請求項１または２に記載の光ファイバ成端箱において、
前記接続用光ファイバ部は、その長手方向中央部が平面に沿って巻回配置されており、
前記封止樹脂部は、平面に沿って巻回配置された前記接続用光ファイバ部の長手方向中央部を封止するシート形状を有している、
ことを特徴とする光ファイバ成端箱。
【請求項４】
請求項３に記載の光ファイバ成端箱において、
光ファイバ収納用薄板材をさらに有し、
前記光ファイバ収納用薄板材は、前記接続用光ファイバ部の一端と前記他の光ファイバとの間の光接続部およびこの光接続部近傍の光ファイバ余長部を収納するものであり、
前記光ファイバ収納用薄板材と前記封止樹脂部とは互いに積層された状態で前記筐体に収納されている、
ことを特徴とする光ファイバ成端箱。
【請求項５】
請求項１ないし４のいずれかに記載の光ファイバ成端箱において、
前記封止樹脂部から延出する前記接続用光ファイバ部の端部の少なくとも一つに可撓保護管が嵌着されている、
ことを特徴とする光ファイバ成端箱。
【請求項６】
請求項１ないし５のいずれかに記載の光ファイバ成端箱において、
前記封止樹脂部から延出する前記接続用光ファイバ部の端部の少なくとも一つにその軸方向に沿って高張力繊維体が設けられている、
ことを特徴とする光ファイバ成端箱。
【請求項７】
請求項１ないし６のいずれかに記載の光ファイバ成端箱において、
前記筐体のアダプタ設置端部には、この端部から外側に延出する筐体延出部が設けられており、この筐体延出部に、前記他の光ファイバコネクタに接続される光ファイバ構造体の収納部が設けられている、
ことを特徴とする光ファイバ成端箱。
【発明の詳細な説明】
【０００１】
【発明の属する技術分野】
本発明は、光ファイバ成端箱に関する。
【０００２】
【従来の技術】
従来から、光ファイバケーブルを光ファイバコードまたは光ファイバケーブルに分岐接続するために、光ファイバ成端箱が用いられる。光ファイバ成端箱においては、箱の一端から引き込まれた光ファイバケーブルは、光ファイバごとに分岐されたのち、箱の他端から引き込まれた分岐用光ファイバコードまたは分岐用光ファイバケーブルに光コネクタ接続や融着接続などの手法によって光接続される。
【０００３】
光ファイバ成端箱においては、光ファイバケーブルと分岐用光ファイバコードまたは分岐用光ファイバケーブルとは直接光接続されるのではなく次のようにして光接続されることが多い。すなわち、光ファイバケーブルと分岐用光ファイバコードまたは分岐用光ファイバケーブルとの間に接続用光ファイバ部を設け、この接続用光ファイバ部の一端に光ファイバケーブルを、他端に分岐用光ファイバコードまたは分岐用光ファイバケーブルをそれぞれ光接続することで、両者の光接続が実施される。光ファイバ成端箱は、接続用光ファイバ部が収納される構造となっている。（特許文献１参照）
【０００４】
【特許文献１】
実開平７−１６９０２号公報
【０００５】
【発明が解決しようとする課題】
しかしながら、このようにして光ファイバケーブルと分岐用光ファイバとを光接続する光ファイバ成端箱においては、光接続作業時に接続用光ファイバ部の取り扱いに手間がかかるうえに、光ファイバ成端箱内における接続用光ファイバ部の収納作業に手間がかかるうえに収納スペースも必要となる。このことが接続作業時間の短縮化を妨げる要因や、高密度収納を妨げる要因となっていた。
【０００６】
したがって、本発明の課題は、接続作業時間の短縮化及び高密度収納を図ることができる光ファイバ成端箱を提供することである。
【０００７】
【課題を解決するための手段】
上述した課題を解決するために、本発明は、次の構成を備えている。すなわち、本発明は、長手方向中央部が巻回されるとともに、その一端に他の光ファイバが融着接続又はコネクタ接続される接続用光ファイバ部と、前記接続用光ファイバ部の前記長手方向中央部を封止する封止樹脂部と、前記接続用光ファイバ部の他端に設けられた光ファイバコネクタと、一端に前記光ファイバコネクタが装着されるとともに他端に他の光ファイバコネクタが装着される構成を備えかつ装着されるこれら光ファイバコネクタどうしを光接続するアダプタと、筐体とを有している。前記アダプタは、その一端を筐体内側に向け、その他端を筐体外側に向けて前記筐体に設けられている。前記光ファイバコネクタは筐体内側から前記アダプタの一端に装着可能となっている。
【０００８】
以上の構成を備えることにより、本発明は、接続用光ファイバ部が封止樹脂部に封止されているので、筐体内における接続用光ファイバ部の取り扱いが容易となるうえに、筐体内において接続用光ファイバ部を収納効率良く収納することができる。
【０００９】
この光ファイバ成端箱を用いた光ファイバケーブルの分岐接続作業は次のようになされる。すなわち、まず、他の光ファイバが、筐体内の封止樹脂部から延出する接続用光ファイバ部の一端に光接続される。その際、接続用光ファイバ部の長手方向中央部が封止樹脂部により封止固定されているので、光接続作業が容易となる。一方、他の光ファイバコネクタは、筐体の外側に向いているアダプタの他端に装着される。これにより、他の光ファイバコネクタは、光ファイバコネクタに光接続される。この光接続作業もアダプタを介するために容易となる。
【００１０】
なお、前記光ファイバコネクタと前記封止樹脂部とは、工場出荷時において、既に次のように構成されているのが好ましい。すなわち、光ファイバコネクタは前記アダプタの一端に装着されており、前記封止樹脂部は前記筐体に収納されているのが好ましい。そうすれば、光ファイバ成端箱の作業現場における作業がさらに容易となる。
【００１１】
なお、前記接続用光ファイバ部は、その長手方向中央部が平面に沿って巻回配置されており、前記封止樹脂部は、平面に沿って巻回配置された前記接続用光ファイバ部の長手方向中央部を封止するシート形状をしているのが好ましい。そうすれば、筐体内における接続用光ファイバ部の取り扱いがさらに容易となるうえに、筐体内において接続用光ファイバ部をさらに収納効率良く収納することができる。
【００１２】
なお、光ファイバ収納用薄板材をさらに有し、前記光ファイバ収納用薄板材は、前記接続用光ファイバ部の一端と前記他の光ファイバとの間の光接続部およびこの光接続部近傍の光ファイバ余長部を収納するものであり、前記光ファイバ収納用薄板材と前記封止樹脂部とは互いに積層された状態で前記筐体に収納されているのが好ましい。そうすれば、接続用光ファイバ部の一端と前記他の光ファイバとの間の光接続部およひびこの光接続部近傍の光ファイバ余長部とが、収納効率よく収納されることになり、その分、光ファイバ成端箱全体の収納効率がさらに向上する。
【００１３】
なお、前記封止樹脂部から延出する前記接続用光ファイバ部の端部の少なくとも一つに可撓保護管が嵌着されているのが好ましい。また、前記封止樹脂薄板から延出する前記接続用光ファイバ部の端部の少なくとも一つにその軸方向に沿って高張力繊維体が設けられているのが好ましい。これらのようにすれば、封止樹脂部から延出する前記接続用光ファイバ部の端部が損傷しにくくなる。
【００１４】
また、前記筐体のアダプタ設置端部には、この端部から外側に延出する筐体延出部が設けられており、この筐体延出部に、前記他の光ファイバコネクタに接続される光ファイバ構造体の収納部が設けられているのが好ましい。そうすれば、他の光ファイバコネクタに接続される光ファイバ構造体（光ファイバコード等）の収納も効率良く行えるようになる。
【００１５】
【発明の実施の形態】
図１は、本発明の光ファイバ成端箱が設けられる光ファイバ配線網の全体図である。この光ファイバ配線網は、情報配信元（情報センタ等）１００と情報配信先（各家庭等）１０１とを、幹線光ファイバ１０２,支線光ファイバ１０３,およびドロップ光ファイバ１０４等を介して光通信可能に接続している。なお、図１において、符号１０５は、幹線光ファイバ１０２を収納する地下収納路であり、１０６は幹線光ファイバ１０２を支持する電柱であり、１０７は各種の光ファイバケーブルを分岐するクロージャである。
【００１６】
このように構成された光ファイバの配線網において、本実施形態の光ファイバ成端箱１は、例えば、情報配信元１００である情報センタ内に設けられる。光ファイバ成端箱１は、幹線光ファイバ１０２等を構成する光ファイバケーブルＡを光ファイバに分岐したうえで、分岐した光ファイバを接続対象である他の光ファイバＢ（図１では、局内光ファイバ１０８）に光接続している。
【００１７】
以下の説明においては、８心（４心の光ファイバテープ心線２本）を有する光ファイバケーブルＡの３本を、光ファイバ成端箱１を用いて２４本の光ファイバに分岐接続する構成を例にして本発明を説明する。しかしながら、このような構成は、本発明の実施の形態の一例に過ぎず、本発明はどのような分岐形態においも実施できるのはいうまでもない。
【００１８】
光ファイバ成端箱１は、図２に示されるように、複数積層配置された状態で収納箱１０９に引き出し自在に収納されている。光ファイバ成端箱１は、図３に示されるように筐体２を有している。筐体２は一主面が開放された扁平な矩形形状を有している。筐体２の一側縁２ａには支持部３が設けられている。
【００１９】
支持部３は、光ファイバケーブルＡの周囲を把持する外周クランプ部３ａと、光ファイバケーブルＡが有するテンションメンバＤを挟持するテンションメンバクランプ部３ｂとを備えている。
【００２０】
筐体２の他側縁２ｂにはアダプタ４が設けられている。アダプタ４は、その両端に光ファイバコネクタを装着する装着部４ａ,４ｂを備えている。アダプタ４は、装着部４ａ,４ｂに光ファイバコネクタが装着されると、両光ファイバコネクタを光接続する構造を有している。アダプタ４は、１心の光接続に対応した構造を有している。したがって、アダプタ４は光接続数に応じた数を有している。本実施形態では、２４心の光接続数を本発明の構成例にしているため、２４個のアダプタ４が設けられている。アダプタ４は、その一端（装着部４ａ）を筐体内側に向け、その他端（装着部４ｂ）を筐体外側に向けて筐体２の他側縁２ｂに取り付けられている。アダプタ４は並列配置されて他側縁２ｂに取り付けられている。
【００２１】
光ファイバ成端箱１は接続用光ファイバ部５を有している。接続用光ファイバ部５は、図５に示されているように、光ファイバケーブルＡから取り出された第１光ファイバ（請求項における他の光ファイバに相当する）Ｂと、分岐接続先である第２光ファイバＣとの間を光接続する際に両光ファイバＢ,Ｃの間に介装される光ファイバである。
【００２２】
接続用光ファイバ部５は、図３,図４に示されるように、光ファイバケーブルＡの分岐接続作業を容易にするために、十分なファイバ長（例えば、数ｍ）を有している。接続用光ファイバ部５は、光接続数に合わせてその本数が設定されており、本実施形態では、２４本の光ファイバを有している。ただし、本実施形態では、接続用光ファイバ部５を構成する光ファイバは、光ファイバの４本が束となった光ファイバテープ心線を主構造として有している。そのため、接続用光ファイバ部５は、６本の光ファイバテープ心線を主構造体として備えている。
【００２３】
接続用光ファイバ部５の長手方向中央部５ａは平面に沿って巻回配置されている。巻回封止された長手方向中央部５ａは薄板状をした封止樹脂部６に封入固定されている。接続用光ファイバ部５の両端部は、封止樹脂部６により固定保持されることなく封止樹脂部６から延出しており延出部５ｂ,５ｃを構成している。なお、図３,図４においては、封止樹脂部６の構造を明らかにするために封止樹脂部６の一部は切り欠いて描写されており、長手方向中央部５ａの一部は露出している。
【００２４】
接続用光ファイバ部５の一端側延出部５ｂの端部には第１光ファイバコネクタ８が取り付けられている。第１光ファイバコネクタ８は、４心の光ファイバ（テープ心線１本）を同時に光接続する構成を備えている。したがって、２４心の光接続を行う本実施形態の光ファイバ成端箱１では、第１光ファイバコネクタ８は６個設けられている。
【００２５】
接続用光ファイバ部５の他端側延出部５ｃの端部には第２光ファイバコネクタ７が取り付けられている。第２光ファイバコネクタ７は、１心の光ファイバだけを光接続する構成を備えている。したがって、２４心の光接続を行う本実施形態の光ファイバ成端箱１では、第２光ファイバコネクタ７は２４個設けられている。
【００２６】
封止樹脂部６は、図示はしないが２枚の樹脂薄材を張り合わすことで構成されている。封止樹脂部６は、両樹脂薄材の間に接続用光ファイバ部５の長手方向中央部５ａを挟み込んでおり、これにより長手方向中央部５ａを封入固定している。
【００２７】
封止樹脂部６は筐体２の内部に収納固定されている。具体的には、封止樹脂部６の四隅が筐体２の底面にねじ止め固定されている。
【００２８】
接続用光ファイバ部５の他端側延出部５ｃに設けられた第２光ファイバコネクタ７は、封止樹脂部６から延出してアダプタ４の装着部４ａ（筐体内側）に筐体２の内側から装着されている。
【００２９】
光ファイバ成端箱１では、上記した基本構成に加えて、光ファイバ収納用薄板材９を備えている。なお、図３では、光ファイバ収納用薄板材９の一部を切り欠いて下側の封止樹脂部６を露出させた描写となっている。光ファイバ収納用薄板材９は、図５（光ファイバ成端箱１の使用状態を表す図）に示されるように、接続用光ファイバ部５と光ファイバケーブルＡ（第１光ファイバＢ）との間の光接続部およびこの光接続部近傍の第１光ファイバＢの端部（光ファイバ余長部）を収納するファイバ収納部１０を備えている。ファイバ収納部１０は、接続用光ファイバ部５と第１光ファイバＢとの間の光接続部を含めて第１光ファイバＢを巻回する巻回爪１１を有している。巻回爪１１は光ファイバ収納用薄板材９の表面部位に設けられている。ファイバ収納部１０は光ファイバ収納用薄板材９の表面部位から構成されており、巻回爪１１に巻回された第１光ファイバＢを収納している。光ファイバ収納用薄板材９には、ケーブル挿通用の切欠９ａが設けられている。
【００３０】
光ファイバ収納用薄板材９は、筐体２に収納配置された封止樹脂部６の上にさらに積層配置されている。具体的には、光ファイバ収納用薄板材９は、図６に示されるように、封止樹脂部６の上方にスペーサ１２を介して積層配置されたうえで、筐体２にねじ止め固定されている。光ファイバ収納用薄板材９は、スペーサ１２を介在させることで封止樹脂部６との間に若干の隙間を形成しており、この状態で筐体２に固定されている。
【００３１】
以上説明したように、光ファイバ成端箱１では、接続用光ファイバ部５の他端側延出部５ｃに設けられた第２光ファイバコネクタ７は光ファイバ成端箱１の製造工場等においてアダプタ４に装着される。そして、第２光ファイバコネクタ７がアダプタ４に装着された状態で、光ファイバ成端箱１はその設置場所に搬送される。そのため、光ファイバ成端箱１の設置場所において、第２光ファイバコネクタ７をアダプタ４に装着する作業を行う必要がなくなり、その分、光ファイバ成端箱１の設置現場における作業（光接続作業等）が容易となる。
【００３２】
さらには、光ファイバ成端箱１は、設置現場に搬送する際に生じる振動等に起因する接続用光ファイバ部５の損傷を受けにくい構造となっている。これは、光ファイバ成端箱１では、接続用光ファイバ部５の長手方向中央部５ａが封止樹脂部６により封止固定されていることに因っている。
【００３３】
さらには、光ファイバ成端箱１では、接続用光ファイバ部５の長手方向中央部５ａが封止樹脂部６に封止された状態で筐体２に収納されている。接続用光ファイバ部５は、通常数ｍといった比較的長い長さを有しており、その収納に手間と場所を取る構成となっている。これに対して、光ファイバ成端箱１では、接続用光ファイバ部５の長手方向中央部５ａを封止樹脂部６で封止しているために、接続用光ファイバ部５の収納に手間と場所（筐体２内での収納スペース）とが取られない。
【００３４】
さらには、接続用光ファイバ部５の一端側延出部５ｂと第１光ファイバＢとの間の光接続部およひびこの光接続部近傍の第１光ファイバＢ（光ファイバ余長部）を収納する光ファイバ収納用薄板材９を、封止樹脂部６に積層して筐体２に収納している。そのため、接続用光ファイバ部５の一端側延出部５ｂと第１光ファイバＢとの間の光接続部およひびこの光接続部近傍の第１光ファイバＢ（光ファイバ余長部）の収納にも手間と場所（筐体２内での収納スペース）とが取られない。
【００３５】
以下、光ファイバ成端箱１の設置現場において光ファイバ成端箱１を介して実施される光ファイバケーブルＡと第２光ファイバＣとの光接続作業を図５を参照して説明する。まず、光ファイバ成端箱１で光接続する光ファイバケーブルＡ（３本）の接続端部において被覆（図示省略）とスロットロッド（光ファイバテープを収納している軸体であって図示は省略）とが取り除かれることで、光ファイバケーブルＡから第１光ファイバＢとテンションメンバＤとが取り出される。第１光ファイバＢは、４心の光ファイバが一体となった光ファイバテープ心線の構成を有している。第１光ファイバＢは１ｍ程度の長さとされる。テンションメンバＤは、外周クランプ部３ａに光ファイバケーブルＡの接続端部が取り付けられた状態でテンションメンバクランプ部３ｂに到達する長さとされる。露出された第１光ファイバＢの先端に光ファイバコネクタＥが光接続されて取り付られる。
【００３６】
この状態で光ファイバケーブルＡの接続端部が筐体２の外側から外周クランプ部３ａに差し込んでねじ止め固定される。さらに、光ファイバケーブルＡのテンションメンバＤがテンションメンバクランプ部３ｂに差し込まれてねじ止め固定される。
【００３７】
光ファイバケーブルＡの接続端部が筐体２に支持固定されたのち、外周クランプ部３ａから延出する第１光ファイバＢが光ファイバ収納用薄板材９の巻回爪１１に巻き着けられる。これにより、第１光ファイバＢがファイバ収納部１０に収納される。さらには、光ファイバ収納用薄板材９の下側に配置されている封止樹脂部６から延出する接続用光ファイバ部５の一端側延出部５ｂ（第２光ファイバコネクタ８付き）が切欠９ａから光ファイバ収納用薄板材９上に取り込まれる。
【００３８】
そして、接続用光ファイバ部５の一端側延出部５ｂに設けられた第１光ファイバコネクタ８（４心）と第１光ファイバＢの光ファイバコネクタＥ（４心）とが連結されて光接続される。これにより光ファイバケーブルＡを筐体２に支持固定する作業と光ファイバケーブルＡと接続用光ファイバ部５とを光接続する作業が終了する。
【００３９】
接続用光ファイバ部５の長手方向中央部５ａが封止樹脂部６により封止されて筐体２に固定されているために、上記した光接続作業は比較的簡単に行うことができる。
【００４０】
さらには、接続用光ファイバ部５の他端側延出部５ｃに設けられた第２光ファイバコネクタ７は、光ファイバ成端箱１の製造時において既にアダプタ４に装着されている。そのため、光ファイバ成端箱１の設置現場において実施される光ファイバ成端箱１を介した光ファイバケーブルＡと第２光ファイバＣとの光接続作業では、第２光ファイバコネクタ７をアダプタ４に装着する作業を行う必要がなく、その分でもその作業が簡単となる。
【００４１】
以上のようにして光ファイバ成端箱１において光ファイバケーブルＡ（第１光ファイバＢ）と接続用光ファイバ部５とが光接続されたのち、アダプタ４の装着部４ｂに第２光ファイバＣの光ファイバコネクタＦが装着される。これにより、第２光ファイバＣ（１心）と接続用光ファイバ部５の各光ファイバ（１心）とが光接続される。したがって、光ファイバケーブルＡ（第１光ファイバＢ）は、光ファイバ成端箱１において接続用光ファイバ部５を介して第２光ファイバＣに光接続される。本実施形態では３本の光ファイバケーブルＡ（６本の第１光ファイバＢ）が分岐されて２４本の第２光ファイバＣに光接続される。
【００４２】
なお、図７に示されるように、接続用光ファイバ部５の端部に設けられた延出部５ｂ,５ｃに、軟質樹脂からなる可撓性保護管２０を嵌着させてもよい。そうすれば、光ファイバケーブルＡ（第１光ファイバＢ）と第２光ファイバＣとを光ファイバ成端箱１を介して光接続した後も遊動する延出部５ｂ,５ｃは、可撓性保護管２０により保護されて損傷しにくくなる。
【００４３】
また、図８に示されるように、接続用光ファイバ部５の端部に設けられた延出部５ｂ,５ｃに、その軸方向に沿って高張力繊維体２１が設けられていてもよい。そうすれば、光ファイバケーブルＡ（第１光ファイバＢ）と第２光ファイバＣとを光ファイバ成端箱１を介して光接続した後も遊動する延出部５ｂ,５ｃは、高張力繊維体２１により保護されて損傷しにくくなる。なお、図８において、符号２３は被覆である。
【００４４】
図７,図８では、１心の光ファイバから構成された他端側延出部５ｃにおいて、可撓性保護管２０ないし高張力繊維体２１が設けられた構成としたが、４心の光ファイバテープ心線からなる一端側延出部５ｂにおいても同様に可撓性保護管２０ないし高張力繊維体２１が設けられるのはいうまでもない。
【００４５】
さらには、図９に示されるように、筐体２のアダプタ形成端部である他端縁２ｂに、筐体延出部２ｃが設けられてもよい。筐体延出部２ｃは、例えば、他端縁２ｂ側の筐体底面を底面方向に沿って外側に延出することで形成されている。筐体延出部２ｃは、その周囲が側壁２ｄで囲まれることで光ファイバ収納部２ｅを構成している。光ファイバ収納部２ｅは、光ファイバコネクタＦに接続される光ファイバ構造体の１つである第２光ファイバＣ（通常、光ファイバコードから構成されることが多い）を収納するために設けられる。
【００４６】
なお、光ファイバ収納部２ｅを含めた筐体２の幅ｗは、図２に示される収納箱１０９における光ファイバ成端箱１の収納幅と同一とするのが好ましい。このような形状は、接続用光ファイバ部５を含めた光ファイバ成端箱１の収納効率を高めることで実現することが可能となるが、本発明の構成を採用すれば、そのような収納効率の向上を実現することができる。
【００４７】
図９の構成を採用すれば、既存の収納箱１０９に対しても、その形状を変更することなく、光ファイバ収納部付きの光ファイバ成端箱を収納することが可能となる。これより、第２光ファイバＣの収納効率が高まる。なお、図９において図１等と同様の部分には同一の符号を付している。
【００４８】
上述した実施の形態では、第１光ファイバＢと接続用光ファイバ部５とを、光ファイバコネクタＥと第１光ファイバコネクタ８とを用いた光コネクタ接続により光接続した。しかしながら、第１光ファイバＢと接続用光ファイバ部５とを融着接続してもよいのはいうまでもない。
【００４９】
また、上述した実施の形態では、筐体２に支持部３を設けていたが、筐体２に支持部３を設けなくともよいのはいうまでもない。
【００５０】
【発明の効果】
以上説明したように、本発明によれば、光接続作業時に接続用光ファイバ部の取り扱いに簡単になるうえに、光ファイバ成端箱内における接続用光ファイバ部の収納作業も簡単になり、その分、光接続作業時間の短縮化を促進することができる。
【００５１】
また、接続用光ファイバ部を封止樹脂部に封止して筐体に収納することで、接続用光ファイバ部の収納効率を高めることができる。これは、限られた筐体の収納容積に多くの部品を収納することを可能にするうえに、光ファイバ成端箱の小型化を図ることも可能とする。
【００５２】
さらには、封止樹脂部を薄板形状とすることで、筐体内における接続用光ファイバ部の取り扱いがさらに容易となるうえに、筐体内において接続用光ファイバ部をさらに収納効率良く収納することができる。
【図面の簡単な説明】
【図１】本発明の光ファイバ成端箱を備え付ける光ファイバ配線網の構成を示す図である。
【図２】本発明の光ファイバ成端箱が装着される収納箱の構成を示す図である。
【図３】本発明の一実施形態の光ファイバ成端箱の構成を示す平面図である。
【図４】一実施形態の光ファイバ成端箱を構成する接続用光ファイバ部および封止樹脂部の構成を示す平面図である。
【図５】一実施形態の光ファイバ成端箱の使用状態を示す平面図である。
【図６】一実施形態の光ファイバ成端箱の要部拡大図である。
【図７】本発明の変形例を示す要部拡大斜視図である。
【図８】本発明の他の変形例を示す一部切欠要部拡大図である。
【図９】本発明のさらに他の変形例を示す光ファイバ成端箱の平面図である。
【符号の説明】
１００情報配信元    １０１情報配信先    １０２幹線光ファイバ
１０３支線光ファイバ  １０４ドロップ光ファイバ
１０５地下収納路    １０６電柱      １０７クロージャ
１０８局内光ファイバ  １０９収納箱
１光ファイバ成端箱    ２筐体
２ａ一側縁      ２ｂ他側縁      ２ｃ筐体延出部
２ｄ側壁      ２ｅ光ファイバ収納部  ３支持部
３ａ外周クランプ部    ３ｂテンションメンバクランプ部
４アダプタ      ４ａ装着部（内側）    ４ｂ装着部（外側）
５接続用光ファイバ部  ５ａ長手方向中央部    ５ｂ一端側延出部
５c他端側延出部    ６封止樹脂部
７第２光ファイバコネクタ        ８第１光ファイバコネクタ
９光ファイバ収納用薄板材        ９ａ切欠
１０ファイバ収納部    １１巻回爪    Ａ光ファイバケーブル
Ｂ第１光ファイバ    Ｃ第２光ファイバ  Ｅ光ファイバコネクタ
Ｆ光ファイバコネクタ  ２０可撓性保護管  ２１高張力繊維体
２２光ファイバ心線    ２３被覆
【図１】
2004198709.tif 000003
【図２】
2004198709.tif 000004
【図３】
2004198709.tif 000005
【図４】
2004198709.tif 000006
【図５】
2004198709.tif 000007
【図６】
2004198709.tif 000008
【図７】
2004198709.tif 000009
【図８】
2004198709.tif 000010
【図９】
2004198709.tif 000011